【事件の表示】
　特願２００５−２０４０９８「画像処理装置」拒絶査定不服審判事件〔平成１９年　２月　１日出願公開、特開２００７−　２５８６２〕について、次のとおり審決する。
【結　論】
　本件審判の請求は、成り立たない。
【理　由】
１．手続の経緯
　本願は、平成１７年７月１３日の出願であって、平成２２年１１月１５日付けで拒絶査定がなされ、これに対して平成２３年２月２４日に拒絶査定に対する審判が請求され、同時に手続補正がなされたものである。
　
２．平成２３年２月２４日付け手続補正について
［補正却下の決定の結論］
　平成２３年２月２４日付け手続補正（以下「本件補正」という。）を却下する。
［理由］
　補正後の本願発明
　本件補正により、補正前の特許請求の範囲の請求項８は、補正後の請求項５として次のとおり補正された。
「【請求項５】
　コンピュータに、
　記憶装置から、表示する対象となる画像データを読み出す読出機能と、
　読み出された画像データをもとに、表示部に画像を表示する表示機能と、
　ユーザからの指示を受け付ける受付機能と、
　表示された画像に対して、画像変換を施す画像変換機能と、
　画像変換されて前記表示部に表示された画像の画像データを、前記表示部の背景に貼り付ける背景画像データとして取得する取得機能と、を実現させるためのプログラムであって、
　画像変換機能は、受付機能により受け付けた指示をもとに、表示された画像に対して、拡大、縮小、回転、移動などの画像変換を施す機能を含み、
　取得機能は、前記表示部の全面に表示された画像の画像データを、背景画像データとして取得し、記憶装置に保存する機能を含む、
　ことを特徴とするプログラム。」
　
　上記補正は、本件補正前の請求項８に記載した発明について、
　「読み出させる機能」を「読み出す読出機能」と訂正し、「表示させる機能」を「表示する表示機能」と訂正し、「画像変換を施させる機能」を「画像変換を施す画像変換機能」と訂正し、「取得させる機能」を「取得する取得機能」と訂正し、「・・・取得させる機能と、を実行させるためのプログラム」を「・・・取得する取得機能と、を実現させるためのプログラム」と訂正し、「ユーザからの指示を受け付ける受付機能」を追加し、画像変換を施させる機能と取得させる機能について、「画像変換機能は、受付機能により受け付けた指示をもとに、表示された画像に対して、拡大、縮小、回転、移動などの画像変換を施す機能を含み、取得機能は、前記表示部の全面に表示された画像の画像データを、背景画像データとして取得し、記憶装置に保存する機能を含む、ことを特徴とする」と限定するものであって、特許法第１７条の２第４項第２号の特許請求の範囲の減縮を目的とするものに該当する。
　そこで、本件補正後の前記請求項５に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
（１）引用刊行物
　原査定の拒絶の理由に引用された、本願の出願日前に頒布された刊行物「デスクトップ画面でそのまま壁紙作成、Ｗｉｎｄｏｗｓ１００％、株式会社晋遊舎、２００４年７月１日、第7巻、第7号、ｐ．９、左下欄」（以下「引用刊行物」という。）には、図面とともに以下の記載がある。
（イ）「＃０８　ＷＡＬＬＰＡＰＥＲ　ＴＯＯＬ
　デスクトップ画面でそのまま壁紙作成
　「ＤｅｓｋｔｏｐＡｌｕｂｍ」
画像をデスクトップ上に貼り付けて登録するだけ
　デスクトップに写真を貼り付ける感覚で初心者でもすぐに使える壁紙作成ソフト「ＤｅｓｋｔｏｐＡｌｕｂｍ」は、マウスのみで行なえる簡単操作が特徴だ。メインウインドウに素材の画像ファイルをドラッグ＆ドロップすると、画像がデスクトップに表示される。そこでサイズ・角度・色・位置などを調整して、「実行」ボタンを押すと壁紙として適用される。画像は何枚でも無限に重ねて貼り付けることが可能。一度作成された壁紙は圧縮して保存され、いつでも再び壁紙化できる。」（上段）
　
（ロ）「作成はマウス操作のみ
画像ファイルをドラッグ＆ドロップすると、その画像がデスクトップに表示される。」（中段左のさらに左半分）
　
（ハ）「右クリックメニューから、サイズ変更、フィルタ加工、画像回転などができる。」（中段左の右半分）
　
（ニ）「画像のサイズと配置を決めたら、「実行」ボタンで壁紙に登録して完成だ。用意された簡単な力レンダーを貼り付けることもできる。」（中段右）
　
（ホ）「Ｓｏｆｔｗａｒｅ　Ｄａｔａ
ソフト名　ＤｅｓｋｔｏｐＡｌｂｕｍ　Ｖｅｒ．０．２７
作者　Ｋ２０００
種別　フリーウエア」（下欄）
　
（ヘ）引用刊行物の中段右には、デスクトップの画面が表示されており、当該画面によれば、メインウインドウに素材の画像ファイルをドラッグ＆ドロップして、デスクトップに表示された画像（上記摘記事項（イ））は、デスクトップの画面全体に表示されている。
　
　これら引用刊行物の記載から、引用刊行物には以下の発明（以下、「引用発明」という。）が記載されているものと認められる。
「マウスのみで行える簡単操作が特徴の、壁紙を作成するソフトであって、メインウインドウに素材の画像ファイルをドラッグアンドドロップすると画像がデスクトップの画面全体に表示され、そこで、画像回転、サイズ変更、色・位置などの調整をして実行ボタンを押すと当該画像は壁紙として適用され、一度作成された壁紙は圧縮して保存される、ソフト。」
　
　原査定において周知技術を示す文献として引用された「らくらくインターネット−上手な利用法を身に着ける−Ｗｅｂ編　メール編、週刊　イージー・ピーシー、日本、株式会社デアゴスティーニ・ジャパン、２０００年５月９日、第５巻、第１１１号ｐ１１１−１３〜１１１−２４」（以下「周知刊行物」という。）には、図面とともに以下の記載がある。（なお、白抜き数字については、１□のように表記した。）
（ト）「画像のダウンロード
　ホームページの保存方法がわかったところで、今度はホームページ中に含まれる画像データだけを保存する手順について解説しましょう。
　　　　　　　・・・（省略）・・・
画像データをデスクトップの壁紙として設定する
　
　以上の手順は、画像データをホームページからダウンロードしてハードデイスク内に保存するというものですが、画像を直接デスクトップの壁紙として保存／設定することも可能です。１□で［壁紙に設定］を選んでください。自動的にデスクトップ画面が画像データに切り替わります（３□）。
　データは［Ｉｎｔｅｒｎｅｔ Ｅｘｐｌｏｒｅｒ壁紙］というファイル名でハードディスク内の［Ｗｉｎｄｏｗｓ］フォルダの中に保存されます。壁紙は「画面のプロパティ」ダイアログで元に戻したり、ほかのものに変更したりすることが可能です。デスクトップ画面上で右クリックしたときに表示されるメニューで［プロパティ］を選ぶと、ダイアログを呼び出すことができます（４□）。」（第１１１−１７頁、左欄）
　
（チ）「１□ ホームページ中の画像データを開いた状態で右クリックするとメニューが現れるので、［名前を付けて画像を保存］を選んでください。
　
２□ 表示した［画像の保存］ダイアログで［保存する場所］を決め、［ファイル名］を入力したら［保存］ボタンをクリックします。［ファイルの種類］は初期設定（ここではＪＰＥＧ）のままでかまいません。
　
３□ 上の１□で［壁紙に設定］を選ぶと、デスクトップが自動的に画像データに切り替わります。モニタ―の解像度（サイズ）に合った画像を選ぶといいでしょう。
　
４□ 壁紙を変更する場合は、デスクトップ画面上にマウスカーソルを置き右クリックしてください。［画面のプロパティ］ダイアログが表示されたら［背景］タブを選択し、［壁紙］と書かれた一覧リストから好きなものを指定、続いて［適用］ボタンと［ＯＫ］ボタンをクリックします。」（第１１１−１７頁、中欄、右欄の図面の説明）
　
（リ）「メーラーを上手に使うコツ」（第１１１−２１頁冒頭の見出し）
　
（ヌ）「『アウトルックエクスプレス』と『メッセンジャー』では、アドレス帳を図書館などにある「インデックスカード」に例えています。つまり１枚の小さな紙にざまざまな個人情報を記録し、それを５０音順あるいはメールアドレス順に並べ換えることによって、メールを送信する相手のカードを素早く引き出せるようになっているのが特徴です。
　アドレス帳への登録は、名刺などをもらったときは１枚１枚手作業で行う必要がありますが、受信したメールに対して返信メールを送る場合は、相手の情報を自動的に登録してくれます。『アウトルックエクスプレス』の場合は、返信しなくてもドラッグ＆ドロップで簡単に登録することもできます。
　以上の点を踏まえて、アドレス帳の使い方を『アウトルックエクスプレス』のケースを中心に解説したいと思います。なお２８ページでは、アドレス帳を基に、あるルールを設定して、受信したメールを別のフォルダに振り分ける（分類して保存する）方法も紹介します。」（第１１１−２１頁中欄第１行〜右欄末行）
　
（ル）「メッセージを相手に返信する」（第１１１−２２頁冒頭の見出し）
　
（ヲ）「メールを相手に返信するとアドレスが自動登録される
　
　返信メールを送ると、初期設定では相手のメールアドレスが自動的にアドレス帳に登録されるようになっています。アドレス帳は「ツールバー」の［アドレス］ボタンで呼び出すことができますが、画面左下の「連絡先」エリアにも名前が表示されています（３□）。　この中のだれかにメールを送りたいと思ったときは、名前の部分をダブルクリックするだけで［メッセージの作成］画面を表示することができます（４□）。」（第１１１−２２頁左欄下から第１３−末行）
　
　（２）対比
　本願補正発明と引用発明を対比すると、
　引用発明の「ソフト」、「素材の画像ファイル」及び「壁紙」は、それぞれ、本願補正発明の「プログラム」、「表示する対象となる画像データ」及び「背景画像」に相当する。
　引用発明のプログラムが、「コンピュータ」に所定の機能を実現させるものであることは当然である。
　引用発明のプログラムは、マウスのみで行える簡単操作が特徴であるから、引用発明のプログラムが、本願補正発明の「ユーザからの指示を受け付ける受付機能」に相当する機能を有していることは明らかである。
　引用発明において、メインウインドウに素材の画像ファイルをドラッグアンドドロップすると画像がデスクトップに表示されており、当該、メインウインドウに素材の画像ファイルは、「ユーザの指示が受け付けられた」ことにより、「記憶装置」から読み出され、「表示部」に表示されていることは明らかであるから、引用発明は、本願補正発明と同様に、
「表示する対象となる画像データを読み出す読出機能」、「読み出された画像データをもとに、表示部に画像を表示する表示機能」を有しているということができる。
　引用発明は、表示された画像について、画像回転、サイズ変更、色・位置などの調整をすることができ、当該動作が「受付機能により受け付けた指示」をもとになされることは当然のことであり、位置の調整とは、移動を意味しているから、引用発明は、受付機能により受け付けた指示をもとに、表示された画像に対して、「回転、移動などの画像変換を施す機能を含む画像変換機能」を有しているということができる。
　また、引用発明は、画像回転、サイズ変更、色・位置などの調整をして実行ボタンを押すと背景画像（壁紙）として適用されており、引用発明は、本願補正発明と同様に、画像変換されて前記表示部に表示された画像の画像データを、前記表示部の背景に貼り付ける背景画像データとして取得する「取得機能」を有しているということができる。
　また、引用発明において、一度作成された背景画像は圧縮して保存されており、保存が記憶装置になされることは当然である。また、引用発明において、作成された背景画像が背景画像（壁紙）として適用される以上、当該画像が記憶装置に背景画像として保存されていることも当然である。したがって、引用発明は、本願補正発明と同様に、表示部の全面に表示された画像の画像データを、背景画像データとして取得し、記憶装置に保存する機能を含んでいるということができる。
　
　したがって、両者は
「コンピュータに、
　記憶装置から、表示する対象となる画像データを読み出す読出機能と、
　読み出された画像データをもとに、表示部に画像を表示する表示機能と、
　ユーザからの指示を受け付ける受付機能と、
　表示された画像に対して、画像変換を施す画像変換機能と、
　画像変換されて前記表示部に表示された画像の画像データを、前記表示部の背景に貼り付ける背景画像データとして取得する取得機能と、を実現させるためのプログラムであって、
　画像変換機能は、受付機能により受け付けた指示をもとに、表示された画像に対して、回転、移動などの画像変換を施す機能を含み、
　前記表示部の全面に表示された画像の画像データを、背景画像データとして取得し、記憶装置に保存する機能を含む、
　ことを特徴とするプログラム。」の点で一致し、以下の点で相違している。
　
相違点１
　本願補正発明の画像変換を施す機能は、拡大、縮小、回転、移動などであるのに対し、引用発明の画像変換を施す機能は、サイズ変更、回転、移動などであるが、サイズ変更が拡大、縮小であるのかどうか明確ではない点。
　
相違点２
　本願補正発明の取得機能は、前記表示部の全面に表示された画像の画像データを、背景画像データとして取得し、記憶装置に保存する機能を含んでいるのに対し、引用発明の取得機能も、前記表示部の全面に表示された画像の画像データを、背景画像データとして取得しており、また、引用発明は、取得した画像を記憶装置に保存する機能を有しているが、引用発明において、保存する機能が取得機能に含まれるのか否か必ずしも明らかではない点。
　
（３）当審の判断
　以下、上記相違点について検討する。
相違点１について
　一般に画像のサイズ変更、回転、移動などを行う編集機能（本願補正発明の「画像変換機能」に相当する。）において、サイズ変更として、画像の拡大、縮小を行うことは慣用手段であって、引用発明の画像のサイズ変更を画像の拡大、縮小とすることに何ら困難性はない。
　
相違点２について
　引用発明において、背景画像データとして取得機能により取得された画像が背景画像データとして保存されることは当然のことであるから、引用発明も、本願補正発明と同様に、取得機能が取得した画像を記憶装置に保存する機能を有しているということができる。
　また、一般に所定の機能が別の機能とともに実行されることは、周知刊行物の記載事項（ト）（チ）（Ｗｅｂ上のホームページを表示し、該ホームページに含まれる画像を壁紙に設定（ホームページの画像データを取得していることは明らかである。）して保存することが記載されている。）、記載事項（リ）〜（ヲ）（返信メールを送ると相手のメールアドレスが自動的にアドレス帳に登録されることが記載されている。）に記載されているように周知であって格別のことではない。
　したがって、引用発明において、表示部の全面に表示された画像の画像データを、背景画像データとして取得する取得機能に、保存する機能が含まれるようにすることは当業者が容易になし得ることである。
　　
　そして、本願補正発明のように構成したことによる効果も引用発明及び周知技術から予測できる程度のものである。
　
　したがって、本願補正発明（請求項５に係る発明）は、引用発明及び周知技術に基づいて当業者が容易に発明をすることができたものであるから、特許法第２９条第２項の規定により特許出願の際独立して特許を受けることができないものである。　
　
（４）むすび
　以上のとおりであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明について
　平成２３年２月２４日付け手続補正は上記のとおり却下されたので、本願の請求項８に係る発明（以下、「本願発明」という。）は、平成２２年７月２９日付け手続補正書の特許請求の範囲の請求項８に記載された事項により特定される、以下のとおりのものである。
「【請求項８】
　コンピュータに、
　記憶装置から、表示する対象となる画像データを読み出させる機能と、
　読み出された画像データをもとに、表示部に画像を表示させる機能と、
　表示された画像に対して、画像変換を施させる機能と、
　画像変換されて前記表示部に表示された画像の画像データを、前記表示部の背景に貼り付ける背景画像データとして取得させる機能と、
　を実行させるためのプログラム。」
　
（１）引用刊行物
　原査定の拒絶の理由に引用された引用刊行物及びその記載事項は、前記「２．（１）」に記載したとおりである。
　
（２）対比・判断
　本願発明は、前記「２．」で検討した本願補正発明から本件補正によりなされた訂正、及び限定を解除したものである。
　そうすると、本願発明の構成要件を全て含みさらに限定を付したものに相当する本願補正発明が、前記「２．（３）」に記載したとおり、引用発明及び周知技術に基づいて、当業者が容易に発明をすることができたものであるから、本願発明も、同様の理由により、引用発明及び周知技術に基づいて、当業者が容易に発明をすることができたものである。
　
（３）むすび
　以上のとおり、本願発明（請求項８に係る発明）は、引用発明及び周知技術に基づいて当業者が容易に発明をすることができたものである。
　したがって、本願はその余の請求項について論及するまでもなく、特許法第２９条第２項の規定により特許を受けることができない。
　
　よって、結論のとおり審決する。